(57)【要約】【課題】強い排気を要することなく、出入口からの煙草の煙の飛散を防いで分煙する喫煙ブースを提供すること。【解決手段】喫煙ブース１は、出入口用の開口１０ａが設けられた正面を含んで床面Ｆ上に立設される壁面１３及び天面１４から形成される。天面１４エアカーテン２１を生成するエアカーテン機構２０、及びブース内の空気を排気する排気機構３０を備える。エアカーテン機構により噴出されるエアーの風速は、喫煙ブース１の下方では煙を遮断せずに気流が通過する程度とする。少量の空気噴出によるエアカーテンで、強い排気を要することなく、煙草の煙が漂うブース内の上方の空間を分煙することができる。また、気流による効率的な排気が可能となる。【選択図】図３
2018128237.tif 000002
【特許請求の範囲】
【請求項１】
出入口からの煙草の煙の飛散を防いで分煙する喫煙ブースであって、
出入口用の開口が設けられた正面を含んで床面上に立設される壁面と、該壁面上に支持される天面と、から形成されるブースと、
前記開口の上方に位置する前記天面の部分に設けられた噴出口からエアーを下方に向けて噴出して、エアカーテンを生成するエアカーテン機構と、
前記ブース内の空気を排気する排気機構とを備え、
前記エアカーテン機構により噴出されるエアーの風速は、前記噴出口において分煙速度より大きく、前記床面上で非分煙速度より小さいことを特徴とする、喫煙ブース。
【請求項２】
前記エアカーテン機構により噴出されるエアーの風速は、前記床面から６０ｃｍの高さにおいて分煙速度より大きく、前記床面から３０ｃｍの高さにおいて非分煙速度より小さいことを特徴とする、請求項１に記載の喫煙ブース。
【請求項３】
前記エアカーテン機構は、前記ブース外から空気を取り込んで、前記噴出口からエアーを噴出することを特徴とする、請求項１又は２に記載の喫煙ブース。
【請求項４】
前記エアカーテン機構は、前記エアーを前記壁面に含まれる前記正面に対向する背面の方向に向けて傾斜した角度で噴出することを特徴とする、請求項１から３のいずれか一項に記載の喫煙ブース。
【請求項５】
前記壁面に含まれる前記正面に対向する背面の下端に開口が設けられることを特徴とする、請求項１から４のいずれか一項に記載の喫煙ブース。
【請求項６】
前記排気機構は、前記天面に設けられた排気口から前記ブース内の空気を排気することを特徴とする、請求項１から５のいずれか一項に記載の喫煙ブース。
【発明の詳細な説明】
【技術分野】
【０００１】
本発明は、出入口からの煙草の煙の飛散を防いで分煙する喫煙ブースに関する。
【背景技術】
【０００２】
煙草の煙の飛散を防いで、内側の喫煙空間と外側の非喫煙空間との間を分煙する喫煙ブースがある。近年では、受動喫煙を防止する対策が強く求められ、例えば喫煙空間と非喫煙空間との境界で高い風速でエアーを噴出するエアカーテンが設けられている喫煙ブースが知られている（例えば、特許文献１参照）。
【０００３】
分煙のためにエアカーテンを設ける場合、喫煙空間内の空気は、エアカーテンから流入し、排気ダクトから流出する。分煙効果を上げるためにエアカーテンを強力に（大きな風速に）すると、空気の流入量に対して流出量が小さいため、喫煙空間の気圧は非喫煙空間より高くなる。このため、煙草の煙を含む喫煙ブース内の空気がエアカーテンを超えて又はブースの隙間を介して漏れるおそれがある。そこで、空気の流入量に対して流出量を大きくすると（例えば、特許文献２参照）、強い排気が必要になり現実的でない。
【先行技術文献】
【特許文献】
【０００４】
【特許文献１】特開２００６−３２８８４２号公報
【特許文献２】特開平１０−１７６８５６号公報
【非特許文献】
【０００５】
【非特許文献１】並木則和、宇田貴裕、鍵直樹：低境界風速条件における空間分煙効果に関する研究、空気調和・衛生工学会論文集、Ｎｏ．１９１，２０１３年２月
【発明の概要】
【発明が解決しようとする課題】
【０００６】
本発明は、強い排気を要することなく、出入口からの煙草の煙の飛散を防いで分煙する喫煙ブースを提供することを課題とする。
【課題を解決するための手段】
【０００７】
本発明の喫煙ブースは、
出入口からの煙草の煙の飛散を防いで分煙する喫煙ブースであって、
出入口用の開口が設けられた正面を含んで床面上に立設される壁面と、該壁面上に支持される天面と、から形成されるブースと、
前記開口の上方に位置する前記天面の部分に設けられた噴出口からエアーを下方に向けて噴出して、エアカーテンを生成するエアカーテン機構と、
前記ブース内の空気を排気する排気機構とを備え、
前記エアカーテン機構により噴出されるエアーの風速は、前記噴出口において分煙速度より大きく、前記床面上で非分煙速度より小さいことを特徴とする。
【０００８】
この特徴によれば、出入口用の開口が設けられた正面を含んで床面上に立設される壁面と、この壁面上に支持される天面と、から形成されるブースにおいて、エアカーテン機構により、開口の上方に位置する天面の部分に設けられた噴出口からエアーを下方に向けて噴出して開口にエアカーテンを設けることで分煙を実現することができる。
【０００９】
また、エアカーテンを天面から床面に至るまで設ける必要はない。煙草の煙は空気中を上昇するので、天面近くがエアカーテンによって分煙されていれば、床面近くを分煙する必要がない。エアーの風速は、前記噴出口において分煙速度より大きく、前記床面上で非分煙速度より小さいものとし、天面の側のみを分煙する。
【００１０】
ここで、「分煙速度」とは、人間が横切った場合にも煙草の煙を確実に遮断するようなエアカーテンの最小の風速を言う。非特許文献１によれば、０．１５ｍ／ｓ以上であれば遮断される。喫煙ブースの構成等により、より小さな分煙速度となる場合も考えられる。
【００１１】
また、「非分煙速度」とは、煙草の煙を遮断しないようなエアカーテンの最大の風速を言う。非特許文献１によれば、０．１０ｍ／ｓ以下であれば遮断されない。喫煙ブースの構成等により、より大きな非分煙速度となる場合も考えられる。
【００１２】
分煙速度と非分煙速度との間の速度では、煙草の煙を遮断する場合と遮断しない場合とがある。以上をまとめると、０．１５ｍ／ｓ≧（分煙速度）≧（非分煙速度）≧０．１０ｍ／ｓであることが、非特許文献１から導ける。ただし、上方を分煙し下方を分煙しないという本発明の目的に鑑みれば、（分煙速度）＝０．１５ｍ／ｓ、（非分煙速度）＝０．１０ｍ／ｓとしてよい。
【００１３】
以上のようにエアカーテンの風速を設計すれば、エアカーテンとして噴出される空気量は従来よりも小さくなる。強い排気を要することなく、出入口からの煙草の煙の飛散を防いで分煙する喫煙ブースを提供することができる。
【００１４】
本発明の喫煙ブースは、
前記エアカーテン機構により噴出されるエアーの風速は、前記床面から６０ｃｍの高さにおいて分煙速度より大きく、前記床面から３０ｃｍの高さにおいて非分煙速度より小さいことを特徴とする。
【００１５】
この特徴によれば、分煙と非分煙の境界が、床面から３０ｃｍ〜６０ｃｍの高さとなる。立って喫煙しても、座って喫煙しても煙草は６０ｃｍ以上の高さにあると考えられ、十分に分煙し、かつ、エアカーテンとして噴出される空気量を小さくすることができる。また、床面から３０ｃｍ以上の高さまで気流が通り、後述するように排気促進効果を得ることができる。
【００１６】
本発明の喫煙ブースは、
前記エアカーテン機構は、前記ブース外から空気を取り込んで、前記噴出口からエアーを噴出することを特徴とする。
【００１７】
この特徴によれば、エアカーテン機構により、ブース外から空気を取り込んで噴出口から噴出するため、噴出口から噴出するエアーをブース内から取り込む場合のようにエアカーテンをなすエアーに煙草の煙が含まれることがない。エアカーテンをなすエアーは分煙された喫煙空間の外側にも流れるので、煙草の煙が含まれないものとすることが好ましい。
【００１８】
本発明の喫煙ブースは、
前記エアカーテン機構は、前記エアーを前記壁面に含まれる前記正面に対向する背面の方向に向けて傾斜した角度で噴出することを特徴とする。
【００１９】
この特徴によれば、エアカーテンをなすエアーが、喫煙ブースの下方の風速の小さい箇所で背面側に流れ、その後排気機構に向けて上昇する気流を形成する。効率よく排気することができる。
【００２０】
本発明の喫煙ブースは、
前記壁面に含まれる前記正面に対向する背面の下端に開口が設けられることを特徴とする。
【００２１】
この特徴によれば、壁面に含まれる正面に対向する背面の下端に開口が設けられることで、排気機構に向けて上昇する気流が形成され、効率よく排気することができる。
【００２２】
本発明の喫煙ブースは、
前記排気機構は、前記天面に設けられた排気口から前記ブース内の空気を排気することを特徴とする。
【００２３】
この特徴によれば、煙草の煙は上昇するため、排気機構により廃棄された煙を上方に排出することができる。
【発明の効果】
【００２４】
本発明によれば、強い排気を要することなく、出入口からの煙草の煙の飛散を防いで分煙する喫煙ブースを提供することが可能となる。
【図面の簡単な説明】
【００２５】
【図１】図１は、喫煙ブースの構成を示す図である。
【図２】図２は、エアカーテン機構及び排気機構の配置を示す図である。
【図３】図３は、喫煙ブース内の空気の流れを示す図である。
【発明を実施するための形態】
【００２６】
以下、本発明の一実施例について説明する。
【００２７】
図１に、喫煙ブース１の構成を示す。ここで、図１（Ａ）〜（Ｃ）は、それぞれ、喫煙ブース１の構成を正面、側面、及び背面側から示す。なお、図１（Ａ）及び（Ｃ）における左右方向を横方向、図１（Ｂ）における左右方向を前後方向、図１（Ａ）〜（Ｃ）における上下方向を高さ方向とする。喫煙ブース１は、エアカーテンにより出入口からの煙草の煙の飛散を防いで分煙する小室であり、支柱１１，１１ａ、梁１２、１２ａ〜１２ｄ、壁面１３、天面１４エアカーテン機構２０、及び排気機構３０を備える。
【００２８】
支柱１１，１１ａは、喫煙ブース１のその他の構成各部を支持する柱状部材であり、一例としてアルミニウムを用いて軽量に成形されている。支柱１１は、床面Ｆ上の４か所に立設される。支柱１１ａは、正面側の２つの支柱１１の間に互いに離間して床面Ｆ上に立設される。正面側の２つの支柱１１ａの間に、喫煙ブース１の出入口用の開口（出入口とも呼ぶ）１０ａが設けられる。
【００２９】
梁１２，１２ａ〜１２ｄは、支柱１１，１１ａ間に接続されてこれらを強固に固定する部材であり、一例としてアルミニウムを用いて軽量に成形されている。
【００３０】
梁１２は、４つの支柱１１の上端をそれぞれ接続して、それらの内側に後述する天面１４を支持する。
【００３１】
梁１２ａは、４つの支柱１１の上端から下方に離間する部分をそれぞれ接続して、梁１２及び支柱１１との内側に後述する壁面１３を支持する。また、梁１２と梁１２ａとの間に後述するエアカーテン機構２０及び排気機構３０が配置される。
【００３２】
梁１２ｂは、６つの支柱１１，１１ａのうち、前後方向及び横方向の両側に配置された各２つの支柱１１（１１ａ）（２つの支柱１１ａを除く）の中央をそれぞれ接続して、梁１２ａ及び支柱１１（１１ａ）との内側に壁面１３を支持する。
【００３３】
梁１２ｃは、６つの支柱１１，１１ａのうち、前後方向及び横方向の両側に配置された各２つの支柱１１（１１ａ）（２つの支柱１１ａ及び背面側に配置された２つの支柱１１を除く）の下端をそれぞれ接続して、梁１２ｂ及び支柱１１（１１ａ）との内側に壁面１３を支持する。
【００３４】
梁１２ｄは、４つの支柱１１のうち、背面側に配置された２つの支柱１１の下端近傍を、床面Ｆとの間に開口１０ｂを設けて接続して、梁１２ｂ及び支柱１１との内側に壁面１３を支持する。なお、開口１０ｂの高さｈは、例えば５ｃｍとする。
【００３５】
壁面１３は、上述のとおり支柱１１，１１ａ及び梁１２、１２ａ〜１２ｄの間に支持され、床面Ｆ上に立設されて、喫煙ブース１の内外を隔離する板状部材であり、一例としてポリカーボネートを用いて成形されている。ここで、正面、側面、背面のうち、喫煙ブース１を設ける建物の壁面等に近接させる面（本実施例では背面）の壁面１３は不透明に、その他の面（本実施例では正面及び側面）の壁面１３は透明又は半透明にするとよい。また、喫煙ブース１の上側（梁１２と梁１２ａとの間）に設けられる壁面１３は、その内側にエアカーテン機構２０及び排気機構３０の構成各部が設けられることから、これらが喫煙ブース１外から見えないように不透明にするとよい。
【００３６】
天面１４は、上述のとおり支柱１１の上端及び梁１２の間に支持されて（すなわち、壁面１３上に支持されて）、喫煙ブース１の内外を高さ方向に隔離する板状部材であり、一例としてポリカーボネートを用いて成形されている。
【００３７】
図２に、エアカーテン機構及び排気機構の配置を示す。図は、天面１４の上方から見た図である。図中（Ａ）、（Ｂ）、（Ｃ）の矢印は、図１における（Ａ）、（Ｂ）、（Ｃ）の方向を示す。
【００３８】
天面１４の正面側にエアカーテン機構２０が喫煙ブース１の幅に亘って配されている。エアカーテン機構２０の下方には直線状の噴出口２０ａが設けられ、噴出口２０ａから噴出されるエアカーテン２１によって喫煙ブース１の内部を分煙する。
【００３９】
天面１４の背面側に排気機構３０が配されている。排気機構３０は、喫煙ブース１内の空気を吸引し、排気ダクト３１を介して排気する。
【００４０】
エアカーテン機構２０は、喫煙ブース１の開口１０ａにエアカーテン２１を設ける機構であり、開口１０ａの上方に位置する天面１４及び正面（壁面１３）の内側に、噴出口２０ａを下方に向けて設けられている。エアカーテン機構２０は、喫煙ブース１外（天面１４の上方、若しくは、エアカーテン機構２０の正面側又は背面側）から空気を取り込んで、噴出口２０ａからエアーを下方に向けて噴出して、開口１０ａにエアカーテン２１を生成する。それにより、噴出口２０ａから噴出するエアーを喫煙ブース１内から取り込む場合のようにエアカーテン２１をなすエアーとともに煙草の煙が喫煙ブース１外に飛散することがない。
【００４１】
煙草の煙は上昇するため、エアカーテン２１を床面Ｆ上まで設ける必要はない。そこで、エアカーテン機構２０により噴出されるエアーの風速は、噴出口２０ａにて分煙速度（本実施例では０．１５ｍ／ｓとする）より大きく、床面Ｆ上で非分煙速度（本実施例では０．１０ｍ／ｓとする）より小さいものとする。エアカーテン２１により煙草の煙が漂う喫煙ブース１内の上方の空間を閉じ込めて出入口１０ａからの煙草の煙の飛散を防ぐことができる（非特許文献１参照）。
【００４２】
そこで、エアカーテン機構２０により噴出されるエアーの風速が、噴出口２０ａにて分煙速度より大きく、床面Ｆ上で非分煙速度より小さいことで、エアカーテン２１により煙草の煙が漂う喫煙ブース１内の上方の空間を閉じ込めて出入口１０ａからの煙草の煙の飛散を防ぐことができる。
【００４３】
図３に、喫煙ブース内の空気の流れを示す。噴出口２０ａからエアーが噴出され、エアカーテン２１が形成される。エアーの風速が分煙速度より大きい箇所を実線で示す。実線箇所において、煙草の煙が遮断される。
【００４４】
ここで、エアーの風速が分煙速度となる箇所の床面からの高さＨを、喫煙ブース１内に灰皿が設置される高さよりも低くすることが好ましい。灰皿から上方に向かう煙を分煙するためである。一般の喫煙室を考えると、Ｈ≦６０ｃｍ程度とすることが好ましい。
【００４５】
喫煙ブース１の高さを２３０ｃｍとすると、噴出口２０ａから２００ｃｍ程度で風速が分煙速度になってよい。噴出口２０ａにおける噴出風速は、２ｍ／ｓ以下でよいこととなる。多くのエアカーテンの噴出風速は５ｍ／ｓ以上であり、本発明においては少量の噴出エアーでエアカーテンを形成している。喫煙空間の気圧をあまり大きくせず、煙が流出してしまうことがない。
【００４６】
エアカーテン２１は、垂直でなく、角度θだけ背面側に傾斜して形成される。噴出口２０ａの角度を傾斜させて実現されたものである。これにより、エアカーテンのエアーは気流３１ａのように背面側に流れ排気ダクト３１に向かう気流を形成する。排気ダクト３１からの排気が促進される。ここで、θの値としては、２度〜３度程度で十分に効果を得ることができる。また、θ＝０として傾斜させずにエアカーテンを形成してもよい。
【００４７】
風速が非分煙速度より小さい下方では、喫煙ブース１の外部からの気流３１ｂが流入する。この気流も排気ダクト３１に向かい、排気ダクト３１からの排気が促進される。
【００４８】
開口１０ｂからも喫煙ブース１の外部からの気流３１ｃが流入する。この気流も排気ダクト３１に向かい、排気ダクト３１からの排気が促進される。
【００４９】
以上詳細に説明したように、本実施例の喫煙ブース１は、エアカーテン２１によって分煙効果を得ることができるとともに、排気ダクト３１からの排気が効率的に行われる。
【産業上の利用可能性】
【００５０】
本発明の喫煙ブースは、出入口からの煙草の煙の飛散を防いで分煙するのに好適である。多くの企業等により利用が考えられる。
【符号の説明】
【００５１】
１      喫煙ブース
１０ａ  開口（出入口）
１０ｂ  開口
１１    支柱
１２    梁
１３    壁面
１４    天面
２０    エアカーテン機構
２０ａ  噴出口
２１    エアカーテン
３０    排気機構
３１    排気ダクト
３１ａ  気流
３１ｂ  気流
３１ｃ  気流
Ｆ      床面
【図１】
2018128237.tif 000003
【図２】
2018128237.tif 000004
【図３】
2018128237.tif 000005